(57)【要約】      （修正有）【課題】ネクタイの２つの部分を自由に組み合わせることができ、組み合わせのバリエーションを豊富にすることができるネクタイ結合具を提供する。【解決手段】ネクタイを構成する第１の帯状部材５２と第２の帯状部材５４とを結合させるためのネクタイ結合具１である。挿入ピン４を有し、挿入ピン４を挿入し得る挿入孔６が形成されており、挿入ピン４の突出方向と、挿入孔６の孔形成方向が平行するように配置されていることを特徴とする。【選択図】図２
2020143390.tif 000002
【特許請求の範囲】
【請求項１】
ネクタイを構成する第１の帯状部材と第２の帯状部材とを結合させるためのネクタイ結合具であって、
挿入ピンを有し、
前記挿入ピンを挿入し得る挿入孔が形成されており、
前記挿入ピンの突出方向と、前記挿入孔の孔形成方向が平行するように配置されていることを特徴とするネクタイ結合具。
【請求項２】
前記挿入ピンは、その先端部が鈎状に折れ曲がったものである請求項１に記載のネクタイ結合具。
【請求項３】
前記挿入ピンを有する結合具本体と、前記結合具本体と前記第１の帯状部材の結合端部または前記第２の帯状部材の結合端部とを繋ぐジョイント部材と、を備え、
前記ジョイント部材に、前記挿入孔が形成されている請求項１または２に記載のネクタイ結合具。
【請求項４】
前記結合具本体に前記ジョイント部材を固定するための固定用スリットが形成され、
前記ジョイント部材はベルト状に構成され、前記結合具本体の前記固定用スリットに挿通された後、折り返され、前記ジョイント部材の先端部が前記ジョイント部材自体に固定されることによって、環状部分が形成されており、前記環状部分が前記挿入孔を形成している請求項３に記載のネクタイ結合具。
【請求項５】
第１の帯状部材と第２の帯状部材とを結合させて用いるネクタイであって、
前記第１の帯状部材の結合端部および前記第２の帯状部材の結合端部に、請求項１から４のいずれか一項に記載のネクタイ結合具が固定されており、
前記ネクタイ結合具における前記挿入ピンの突出方向および前記挿入孔の孔形成方向が、前記第１の帯状部材と前記第２の帯状部材の結合方向とは交差する方向に配置されていることを特徴とするネクタイ。
【発明の詳細な説明】
【技術分野】
【０００１】
本発明は、ネクタイの技術分野に属する。具体的には、ネクタイを構成する２つの部分（例えば、大剣と小剣等）を結合させるためのネクタイ結合具およびそのネクタイ結合具を利用したネクタイに関する。
【背景技術】
【０００２】
従来、ネクタイを２つの部分（例えば、大剣と小剣等）に分割し、これを結合させて用いるネクタイが知られている。
【０００３】
例えば、ネクタイを大剣部側が６割、小剣部側が４割の長さの割合となるように別個に作成し、該大剣部と該小剣部を面テープにより接合、分離自在となるように設けたことを特徴とするセパレート型ネクタイが提案されている（特許文献１）。
【０００４】
また、短いタイストリップと大剣状ストリップとをジョイント手段としてのスナップボタンにより連結したジョイントタイウェアが提案されている（特許文献２）。
【０００５】
更に、中はぎ部で分割された大剣部と小剣部とから成り、前記中はぎ部の各分割端部に、両端部を着脱自在に連結する連結部材を有するネクタイが提案されている（特許文献３）。特許文献３においては、このネクタイの連結部材としてホックや面状ファスナーが例示されている。
【先行技術文献】
【特許文献】
【０００６】
【特許文献１】実開平６−１０３１９
【特許文献２】実登３０４６６４７（特に、明細書段落００１２、図３）
【特許文献３】特開２００２−３０５０７
【発明の概要】
【発明が解決しようとする課題】
【０００７】
しかし、特許文献１ないし３に記載の技術は、ネクタイの２つの部分を結合する結合手段として面状ファスナーやスナップボタン（ホック）等の凸部材と凹部材の組み合わせによって結合力を発揮するものを使用している。このため、ネクタイの２つの部分の組み合わせが限定的であるという課題があった。即ち、凸部材が取り付けられた部分ネクタイには凹部材が取り付けられた部分ネクタイしか取り付けることができず、組み合わせのバリエーションが限られるという問題があった。
【０００８】
本発明は、前記のような従来技術が有する課題を解決するものである。すなわち、本発明は、ネクタイの２つの部分を自由に組み合わせることができ、組み合わせのバリエーションを豊富にすることができるネクタイ結合具を提供するものである。
【課題を解決するための手段】
【０００９】
本発明者らは、前記従来技術の課題を解決すべく鋭意検討を重ねた。そして、ネクタイの２つの部分を結合する結合手段として、挿入ピンと挿入孔を併せ持つネクタイ結合具を用いることにより、前記課題を解決し得ることを見出し、本発明を完成するに至った。即ち、前記課題は以下に示す本発明によって解決される。
【００１０】
［１］ネクタイ結合具：
本発明のネクタイ結合具は、ネクタイを構成する第１の帯状部材と第２の帯状部材とを結合させるためのネクタイ結合具であって、挿入ピンを有し、前記挿入ピンを挿入し得る挿入孔が形成されており、前記挿入ピンの突出方向と、前記挿入孔の孔形成方向が平行するように配置されていることを特徴とするネクタイ結合具；である。
【００１１】
本発明のネクタイ結合具は、
前記挿入ピンは、その先端部が鈎状に折れ曲がったものであること；
前記挿入ピンを有する結合具本体と、前記結合具本体と前記第１の帯状部材の結合端部または前記第２の帯状部材の結合端部とを繋ぐジョイント部材と、を備え、前記ジョイント部材に、前記挿入孔が形成されていること；
前記結合具本体に前記ジョイント部材を固定するための固定用スリットが形成され、前記ジョイント部材はベルト状に構成され、前記結合具本体の前記固定用スリットに挿通された後、折り返され、前記ジョイント部材の先端部が前記ジョイント部材自体に固定されることによって、環状部分が形成されており、前記環状部分が前記挿入孔を形成していること；が好ましい。
【００１２】
［２］ネクタイ：
本発明のネクタイは、第１の帯状部材と第２の帯状部材とを結合させて用いるネクタイであって、前記第１の帯状部材の結合端部および前記第２の帯状部材の結合端部に、前記［１］のいずれかに記載のネクタイ結合具が固定されており、前記ネクタイ結合具における前記挿入ピンの突出方向および前記挿入孔の孔形成方向が、前記第１の帯状部材と前記第２の帯状部材の結合方向とは交差する方向に配置されていることを特徴とするネクタイ；である。
【発明の効果】
【００１３】
本発明のネクタイ結合具およびネクタイは、ネクタイの２つの部分を自由に組み合わせることができ、組み合わせのバリエーションを豊富にすることができる。
【図面の簡単な説明】
【００１４】
【図１】本発明のネクタイ結合具の一の実施形態を模式的に示す概念図である。
【図２】図１に示すネクタイにおけるネクタイ結合具近傍の部分を拡大して示す部分拡大図である。
【図３】図１に示すネクタイ結合具の使用方法を模式的に示す工程図である。
【図４】図１に示すネクタイ結合具の使用方法を模式的に示す工程図である。
【図５】図１に示すネクタイ結合具の使用方法を模式的に示す工程図である。
【図６】本発明のネクタイ結合具の使用方法を模式的に示す工程図である。
【図７】本発明のネクタイの使用状態を模式的に示す使用状態図である。
【図８】本発明のネクタイ結合具の別の実施形態を模式的に示す概念図である。
【図９】図８に示すネクタイ結合具の使用状態を模式的に示す使用状態図である。
【発明を実施するための形態】
【００１５】
以下、発明を実施するための形態について、図面を参照しながらさらに具体的に説明する。但し、本発明は図面に示された形態のみに限定されるものではない。
【００１６】
［１］ネクタイ結合具：
図１ないし図７に示すネクタイ結合具１は、ネクタイ５０を構成する第１の帯状部材５２と第２の帯状部材５４とを結合させるためのネクタイ結合具である。
【００１７】
ネクタイ結合具１は２個一組で使用される。図示の例では、ネクタイ結合具１Ａとネクタイ結合具１Ｂを一組として使用している。そして、ネクタイ結合具１Ａとネクタイ結合具１Ｂは全く同じ構造のものである。このように、組み合わせる結合具を同じ構造とすれば、凸部材が取り付けられた部分ネクタイには凹部材が取り付けられた部分ネクタイしか取り付けることができず、組み合わせのバリエーションが限られるという従来技術のような問題は生じない。即ち、ネクタイの２つの部分を自由に組み合わせることができ、組み合わせのバリエーションを豊富にすることができる。
【００１８】
［１−１］挿入ピン：
図１ないし図７に示すネクタイ結合具１は、挿入ピン４を有している。挿入ピン４はネクタイ結合具１における凸部材である。挿入ピン４は凹部材である挿入孔６との噛み合いによって、第１の帯状部材５２と第２の帯状部材５４を結合させることができる。図１および図２に示す配置で説明するならば、挿入ピン４（挿入ピン４Ａ，４Ｂ）はいずれも図面右側から図面左側に向けて突出している。
【００１９】
挿入ピン４は、その先端部が鈎状に折れ曲がったものである。言い換えれば、挿入ピン４は略Ｌ字型に構成されている。図１および図２に示す配置で説明するならば、挿入ピン４（挿入ピン４Ａ，４Ｂ）はいずれも図面右側から図面左側に向けて突出した後、その先端が図面下側に向かって鈎状に折れ曲がっている。このように挿入ピン４の先端を鈎状に折り曲げることで、挿入孔６に確実に係合され、挿入孔６から挿入ピン４が外れ難くなる。即ち、第１の帯状部材５２と、その対となる第２の帯状部材５４を確実に結合させることができる。
【００２０】
また、挿入ピン４の先端が鈎状に折れ曲がっていることで、この部分がフックとして機能する。このフック機能により、挿入ピン４を用いて、ネクタイ５０の帯状部分（第１の帯状部材５２、第２の帯状部材５４）をクローゼット等に吊り下げることができ、ネクタイの収納に便利である。
【００２１】
但し、挿入ピンの先端は必ずしも鈎状に折れ曲がっている必要はない。例えば、図８および図９に示すネクタイ結合具１０１は、挿入ピン１０４の突出方向に傾斜をつけた例である。ネクタイ結合具１０１Ａの挿入ピン１０４Ａは図面左上方向に向かって突出し、ネクタイ結合具１０１Ｂの挿入ピン１０４Ｂは図面右下方向に向かって突出している。即ち、挿入ピン１０４の先端がネクタイ結合具１０１の末端側を向くように挿入ピン１０４の突出方向が傾斜している。
【００２２】
このように、挿入ピン１０４の突出方向に傾斜をつけることにより、挿入ピン１０４の先端部が鈎状に折り曲げられていなくても、挿入ピン１０４は挿入孔１０６に確実に係合され、挿入孔１０６から挿入ピン１０４が外れ難くなる。即ち、第１の帯状部材５２と、その対となる第２の帯状部材５４を確実に結合させることができる。
【００２３】
また、挿入ピン１０４の突出方向に傾斜がついていることで、挿入ピン１０４がフックとして機能する。従って、図８および図９に示すネクタイ結合具１０１も、図１ないし図７に示すネクタイ結合具１と同様に、挿入ピン１０４を用いて、ネクタイ５０の帯状部分（第１の帯状部材５２、第２の帯状部材５４）をクローゼット等に吊り下げることができる。
【００２４】
［１−２］挿入孔：
図１ないし図７に示すネクタイ結合具１は、挿入ピン４を挿入し得る挿入孔６が形成されている。挿入孔６はネクタイ結合具１における凹部材である。挿入孔６は凸部材である挿入ピン４との噛み合いによって、第１の帯状部材５２と第２の帯状部材５４を結合させることができる。図１および図２に示す配置で説明するならば、挿入孔６（挿入孔６Ａ，６Ｂ）はいずれも図面左右方向に貫通している。
【００２５】
挿入孔６は、直線的に形成された貫通孔である。ネクタイ結合具１は挿入ピン４を有する結合具本体８と、結合具本体８と第１の帯状部材５２の結合端部５６または第２の帯状部材５４の結合端部５８とを繋ぐジョイント部材１０と、を備えている。そして、ジョイント部材１０に、挿入孔６が形成されている。
【００２６】
挿入孔６の構成について、より具体的に説明する。図２に示すように、結合具本体８にはジョイント部材１０を固定するための固定用スリット１２が形成されている。そして、ジョイント部材１０はベルト状に構成されている。このジョイント部材１０は結合具本体８の固定用スリット１２に挿通された後、折り返され、ジョイント部材１０の先端部がジョイント部材１０自体に固定されることによって、環状部分が形成されている。この環状部分が挿入孔６を形成している。
【００２７】
但し、挿入孔は必ずしもジョイント部材によって形成されている必要はない。例えば、図８および図９に示すネクタイ結合具１０１は、挿入ピン１０４を有し、挿入孔１０６が形成された結合具本体１０８と、結合具本体１０８と第１の帯状部材５２の結合端部または第２の帯状部材５４の結合端部とを繋ぐジョイント部材１１０と、を備えている。即ち、ネクタイ結合具１０１においては、ジョイント部材１１０ではなく、結合具本体１０８に挿入孔１０６が形成されている。
【００２８】
ネクタイ結合具１０１Ａの挿入孔１０６Ａは図面左上方向から図面右下方向に向かって形成され、ネクタイ結合具１０１Ｂの挿入孔１０６Ｂは図面右下方向から図面左上方向に向かって形成されている。
【００２９】
図１ないし図７に示すネクタイ結合具１の挿入孔６、図８および図９に示すネクタイ結合具１０１の挿入孔１０６はともに貫通孔となっている。但し、挿入ピンを挿入し得る限り、挿入孔を貫通孔とする必要はない。
【００３０】
［１−３］挿入ピンと挿入孔の関係：
図１ないし図７に示すネクタイ結合具１は、挿入ピン４の突出方向と、挿入孔６の孔形成方向が平行するように配置されている。図１および図２に示す配置で説明するならば、挿入ピン４（挿入ピン４Ａ，４Ｂ）はいずれも図面右側から図面左側に向けて突出している。一方、挿入孔６（挿入孔６Ａ，６Ｂ）はいずれも図面左右方向に貫通している。即ち、挿入ピン４も挿入孔６も図面水平方向を向いており、挿入孔６に挿入ピン４を挿入し、相互に噛み合わせることができる構造となっている。
【００３１】
また、図８および図９に示すネクタイ結合具１０１も、挿入ピン１０４の突出方向と、挿入孔１０６の孔形成方向が平行するように配置されている。
【００３２】
図８および図９に示す配置で説明するならば、ネクタイ結合具１０１Ａの挿入ピン１０４Ａは図面左上方向に向かって突出し、挿入孔１０６Ａは図面左上方向から図面右下方向に向かって形成されている。そして、ネクタイ結合具１０１Ｂの挿入ピン１０４Ｂは図面右下方向に向かって突出し、挿入孔１０６Ｂは図面右下方向から図面左上方向に向かって形成されている。
【００３３】
即ち、ネクタイ結合具１０１Ａにおいて、挿入ピン１０４Ａの突出方向と挿入孔１０６Ａの孔形成方向は平行しており、ネクタイ結合具１０１Ｂにおいても、挿入ピン１０４Ｂの突出方向と挿入孔１０６Ｂの孔形成方向は平行している。
【００３４】
［１−４］その他：
図１ないし図７に示すネクタイ結合具１においては、ジョイント部材１０がベルト状に構成され、ジョイント部材１０の末端部が第１の帯状部材５２の結合端部５６、または第２の帯状部材５４の結合端部５８に縫い付けられている。これにより、ネクタイ結合具１と第１の帯状部材５２または第２の帯状部材５４が一体化されている。
【００３５】
また、図８および図９に示すネクタイ結合具１０１においては、ジョイント部材１１０がベルト状に構成され、ジョイント部材１１０の末端部が第１の帯状部材５２の結合端部、または第２の帯状部材５４の結合端部に縫い付けられている。これにより、ネクタイ結合具１０１と第１の帯状部材５２または第２の帯状部材５４が一体化されている。
【００３６】
但し、ジョイント部材は必須の構成要素ではない。例えば、ジョイント部材を介さず、結合具本体が第１の帯状部材等に直接結合されていてもよい。また、ジョイント部材は結合具本体と第１の帯状部材または第２の帯状部材を繋ぐ役割を果たすものであれば足り、特にベルト状である必要もない。例えば、結合具本体にクリップを取り付けておき、前記クリップで第１の帯状部材の結合端部または第２の帯状部材の結合端部を挟み付けて固定するものであってもよい。
【００３７】
［２］ネクタイ：
図１に示すネクタイ５０は、第１の帯状部材５２と第２の帯状部材５４とを結合させて用いるネクタイである。
【００３８】
第１の帯状部材５２と第２の帯状部材５４は相互に結合されることによって、１本のネクタイを構成する。図示の例では、第１の帯状部材５２、第２の帯状部材５４ともにネクタイの大剣部分であり、この２つの部材を相互に結合させることによって、２つの大剣部分を有するネクタイが構成される。
【００３９】
但し、第１の帯状部材５２と第２の帯状部材５４の組み合わせは大剣同士に限定されない。例えば、通常のネクタイと同様に、大剣と小剣の組み合わせであってもよいし、ボウタイを中途で分割したものを帯状部材として用いてもよい。
【００４０】
また、第１の帯状部材５２と第２の帯状部材５４は色彩、模様、材質等が異なるものを用いてもよい。例えば、図１に示すネクタイ５０においては、第１の帯状部材５２としてストライプ柄のニットタイを用い、第２の帯状部材５４としてドット柄のシルクタイを用いている。
【００４１】
図１に示すネクタイ５０のように、第１の帯状部材と第２の帯状部材をともに大剣とし、それらの色彩、模様、材質等を異なるものとすることで、シーンに応じてネクタイの色彩、模様、材質等を変幻自在に変えることができる。例えば、会社での勤務時間帯においてはシックな色合いの帯状部材が前面に位置するようにネクタイを締め、退社後の時間帯では華やかな色合いの帯状部材が前面に位置するようにネクタイを締めるといった使用方法が可能となる。
【００４２】
ネクタイ５０は、第１の帯状部材５２の結合端部５６および第２の帯状部材５４の結合端部５８に、ネクタイ結合具１が固定されている。固定の方法は特に限定されない。図示の例では、第１の帯状部材５２および第２の帯状部材５４に対し、ネクタイ結合具１が糸で縫い付けられている。
【００４３】
ネクタイ５０は、ネクタイ結合具１における挿入ピン４の突出方向および挿入孔６の孔形成方向が、第１の帯状部材５２と第２の帯状部材５４の結合方向とは交差する方向に配置されている。
【００４４】
図３の例で説明すると、第１の帯状部材５２と第２の帯状部材５４の結合方向は図面左右方向である。そして、挿入ピン４の突出方向および挿入孔６の孔形成方向は図面上下方向である。即ち、挿入ピン４の突出方向および挿入孔６の孔形成方向が、第１の帯状部材５２と第２の帯状部材５４の結合方向とは９０度の角度で交差する（直交する）方向に配置されている。
【００４５】
但し、「交差する方向」であるから、挿入ピン４の突出方向および挿入孔６の孔形成方向が、第１の帯状部材５２と第２の帯状部材５４の結合方向と必ずしも９０度の角度で交差している（直交している）必要はない。例えば、図８および図９に示すように、挿入ピン４の突出方向および挿入孔６の孔形成方向が、第１の帯状部材５２と第２の帯状部材５４の結合方向とは直交せず、斜めに交差する方向に配置されていてもよい。図示の例では、挿入ピン４の突出方向および挿入孔６の孔形成方向が、第１の帯状部材５２と第２の帯状部材５４の結合方向と直交する方向に対し、１５度程度、傾斜する方向に配置されている。
【００４６】
前記交差の角度について特に限定はない。例えば、挿入ピンの突出方向および挿入孔の孔形成方向と、第１の帯状部材と第２の帯状部材の結合方向との交差角度を９０度±６０度の範囲内とすることができる。
【００４７】
［３］使用方法：
本発明のネクタイ結合具の使用方法について、図３ないし図７を参照しながら説明する。
【００４８】
まず、図３に示すように、第１の帯状部材５２に固定されたネクタイ結合具１Ａと、第２の帯状部材５４に固定されたネクタイ結合具１Ｂとを対向させる。次に、図４に示すように、ネクタイ結合具１Ｂの挿入ピン４Ｂを、ネクタイ結合具１Ａの挿入孔６Ａに差し込む。
【００４９】
更に、図５に示すように、ネクタイ結合具１Ｂのジョイント部材１０Ｂを、ネクタイ結合具１Ａの挿入ピン４Ａに引っ掛けるようにして引き出す。このような過程を経て、図６に示すように、ネクタイ結合具１Ａとネクタイ結合具１Ｂ、ひいては第１の帯状部材５２と第２の帯状部材５４が結合される。結果として、図７に示すようなネクタイ５０が形成される。
【産業上の利用可能性】
【００５０】
本発明のネクタイ結合具は、ネクタイを２つの部分（例えば、大剣と小剣等）に分割し、これを結合させて用いるネクタイに好適に用いることができる。
【符号の説明】
【００５１】
１，１Ａ，１Ｂ，１０１，１０１Ａ，１０１Ｂ：  ネクタイ結合具
４，４Ａ，４Ｂ，１０４，１０４Ａ，１０４Ｂ：  挿入ピン
６，６Ａ，６Ｂ，１０６，１０６Ａ，１０６Ｂ：  挿入孔
８，８Ａ，８Ｂ，１０８，１０８Ａ，１０８Ｂ：  結合具本体
１０，１０Ａ，１０Ｂ，１１０，１１０Ａ，１１０Ｂ：  ジョイント部材
１２，１２Ａ，１２Ｂ：  固定用スリット
５０：  ネクタイ
５２：  第１の帯状部材
５４：  第２の帯状部材
５６：  （第１の帯状部材の）結合端部
５８：  （第１の帯状部材の）結合端部
【図１】
2020143390.tif 000003
【図２】
2020143390.tif 000004
【図３】
2020143390.tif 000005
【図４】
2020143390.tif 000006
【図５】
2020143390.tif 000007
【図６】
2020143390.tif 000008
【図７】
2020143390.tif 000009
【図８】
2020143390.tif 000010
【図９】
2020143390.tif 000011
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
第１の帯状部材と第２の帯状部材とを結合させて用いるネクタイであって、
前記第１の帯状部材の結合端部および前記第２の帯状部材の結合端部に、前記第１の帯状部材と前記第２の帯状部材とを結合させるためのネクタイ結合具が固定されており、
前記ネクタイ結合具は、結合具本体と、前記結合具本体と前記第１の帯状部材の結合端部または前記第２の帯状部材の結合端部とを繋ぐジョイント部材と、を備え、
前記結合具本体は、先端部が鈎状に折れ曲がった挿入ピンを有し、前記ジョイント部材を固定するための固定用スリットが前記挿入ピンと平行する方向に形成され、
前記ジョイント部材は、ベルト状に構成され、前記結合具本体の前記固定用スリットに挿通された後、折り返され、前記ジョイント部材の先端部が前記ジョイント部材自体に固定されることによって、前記ジョイント部材からなる環状部分が形成され、前記環状部分が前記挿入ピンを挿入し得る挿入孔を形成しており、
前記挿入ピンが前記第１の帯状部材の表面と平行し、かつ、前記第１の帯状部材の長手方向と直交する方向に突出するように、前記第１の帯状部材の結合端部に第１のネクタイ結合具が固定され、
前記挿入ピンが前記第２の帯状部材の表面と平行し、前記第２の帯状部材の長手方向と直交し、かつ、前記第１のネクタイ結合具と同じ方向に突出するように、前記第２の帯状部材の結合端部に第２のネクタイ結合具が固定されていることを特徴とするネクタイ。
【手続補正３】
【補正対象書類名】明細書
【補正対象項目名】０００１
【補正方法】変更
【補正の内容】
【０００１】
本発明は、ネクタイの技術分野に属する。具体的には、ネクタイを構成する２つの部分（例えば、大剣と小剣等）を結合させるためのネクタイ結合具を利用したネクタイに関する。
【手続補正４】
【補正対象書類名】明細書
【補正対象項目名】０００８
【補正方法】変更
【補正の内容】
【０００８】
本発明は、前記のような従来技術が有する課題を解決するものである。すなわち、本発明は、ネクタイの２つの部分を自由に組み合わせることができ、組み合わせのバリエーションを豊富にすることができるネクタイを提供するものである。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
［１］ネクタイ：
本発明のネクタイは、第１の帯状部材と第２の帯状部材とを結合させて用いるネクタイであって、前記第１の帯状部材の結合端部および前記第２の帯状部材の結合端部に、前記第１の帯状部材と前記第２の帯状部材とを結合させるためのネクタイ結合具が固定されており、前記ネクタイ結合具は、結合具本体と、前記結合具本体と前記第１の帯状部材の結合端部または前記第２の帯状部材の結合端部とを繋ぐジョイント部材と、を備え、前記結合具本体は、先端部が鈎状に折れ曲がった挿入ピンを有し、前記ジョイント部材を固定するための固定用スリットが前記挿入ピンと平行する方向に形成され、前記ジョイント部材は、ベルト状に構成され、前記結合具本体の前記固定用スリットに挿通された後、折り返され、前記ジョイント部材の先端部が前記ジョイント部材自体に固定されることによって、前記ジョイント部材からなる環状部分が形成され、前記環状部分が前記挿入ピンを挿入し得る挿入孔を形成しており、前記挿入ピンが前記第１の帯状部材の表面と平行し、かつ、前記第１の帯状部材の長手方向と直交する方向に突出するように、前記第１の帯状部材の結合端部に第１のネクタイ結合具が固定され、前記挿入ピンが前記第２の帯状部材の表面と平行し、前記第２の帯状部材の長手方向と直交し、かつ、前記第１のネクタイ結合具と同じ方向に突出するように、前記第２の帯状部材の結合端部に第２のネクタイ結合具が固定されていることを特徴とするネクタイ；である。
【手続補正８】
【補正対象書類名】明細書
【補正対象項目名】００１３
【補正方法】変更
【補正の内容】
【００１３】
本発明のネクタイは、ネクタイの２つの部分を自由に組み合わせることができ、組み合わせのバリエーションを豊富にすることができる。
【手続補正９】
【補正対象書類名】明細書
【補正対象項目名】００１４
【補正方法】変更
【補正の内容】
【００１４】
【図１】本発明のネクタイに用いるネクタイ結合具の一の実施形態を模式的に示す概念図である。
【図２】図１に示すネクタイにおけるネクタイ結合具近傍の部分を拡大して示す部分拡大図である。
【図３】図１に示すネクタイ結合具の使用方法を模式的に示す工程図である。
【図４】図１に示すネクタイ結合具の使用方法を模式的に示す工程図である。
【図５】図１に示すネクタイ結合具の使用方法を模式的に示す工程図である。
【図６】本発明のネクタイに用いるネクタイ結合具の使用方法を模式的に示す工程図である。
【図７】本発明のネクタイに用いるネクタイの使用状態を模式的に示す使用状態図である。
【図８】本発明のネクタイに用いるネクタイ結合具の別の実施形態を模式的に示す概念図である。
【図９】図８に示すネクタイ結合具の使用状態を模式的に示す使用状態図である。
【手続補正１０】
【補正対象書類名】明細書
【補正対象項目名】００４７
【補正方法】変更
【補正の内容】
【００４７】
［３］使用方法：
本発明のネクタイの使用方法について、図３ないし図７を参照しながら説明する。
【手続補正１１】
【補正対象書類名】明細書
【補正対象項目名】００５０
【補正方法】変更
【補正の内容】
【００５０】
本発明のネクタイは、ネクタイを２つの部分（例えば、大剣と小剣等）に分割し、これを結合させて用いるネクタイに好適に用いることができる。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
第１の帯状部材と第２の帯状部材とを結合させて用いるネクタイであって、
前記第１の帯状部材の結合端部および前記第２の帯状部材の結合端部に、前記第１の帯状部材と前記第２の帯状部材とを結合させるためのネクタイ結合具が固定されており、
前記ネクタイ結合具は、結合具本体と、前記結合具本体と前記第１の帯状部材の結合端部または前記第２の帯状部材の結合端部とを繋ぐジョイント部材と、を備え、
前記結合具本体は、先端部が鈎状に折れ曲がった挿入ピンを有し、前記ジョイント部材を固定するための固定用スリットが前記挿入ピンと平行する方向に形成され、
前記ジョイント部材は、ベルト状に構成され、前記結合具本体の前記固定用スリットに挿通された後、折り返され、前記ジョイント部材の先端部が前記ジョイント部材自体に固定されることによって、前記ジョイント部材からなる環状部分が形成され、前記環状部分が前記挿入ピンを挿入し得る挿入孔を形成しており、
前記第１の帯状部材の結合端部に固定される第１のネクタイ結合具は、その挿入ピンが前記第１の帯状部材の表面と平行し、かつ、前記第１の帯状部材の長手方向と直交する一の方向に突出するように、前記第１の帯状部材の結合端部に固定され、
前記第２の帯状部材の結合端部に固定される第２のネクタイ結合具は、その挿入ピンが前記第２の帯状部材の表面と平行し、前記第２の帯状部材の長手方向と直交し、かつ、前記第１のネクタイ結合具の挿入ピンが突出する前記一の方向と同じ方向に突出するように、前記第２の帯状部材の結合端部に固定されていることを特徴とするネクタイ。
【手続補正２】
【補正対象書類名】明細書
【補正対象項目名】００１２
【補正方法】変更
【補正の内容】
【００１２】
［１］ネクタイ：
本発明のネクタイは、第１の帯状部材と第２の帯状部材とを結合させて用いるネクタイであって、前記第１の帯状部材の結合端部および前記第２の帯状部材の結合端部に、前記第１の帯状部材と前記第２の帯状部材とを結合させるためのネクタイ結合具が固定されており、前記ネクタイ結合具は、結合具本体と、前記結合具本体と前記第１の帯状部材の結合端部または前記第２の帯状部材の結合端部とを繋ぐジョイント部材と、を備え、前記結合具本体は、先端部が鈎状に折れ曲がった挿入ピンを有し、前記ジョイント部材を固定するための固定用スリットが前記挿入ピンと平行する方向に形成され、前記ジョイント部材は、ベルト状に構成され、前記結合具本体の前記固定用スリットに挿通された後、折り返され、前記ジョイント部材の先端部が前記ジョイント部材自体に固定されることによって、前記ジョイント部材からなる環状部分が形成され、前記環状部分が前記挿入ピンを挿入し得る挿入孔を形成しており、前記第１の帯状部材の結合端部に固定される第１のネクタイ結合具は、その挿入ピンが前記第１の帯状部材の表面と平行し、かつ、前記第１の帯状部材の長手方向と直交する一の方向に突出するように、前記第１の帯状部材の結合端部に固定され、前記第２の帯状部材の結合端部に固定される第２のネクタイ結合具は、その挿入ピンが前記第２の帯状部材の表面と平行し、前記第２の帯状部材の長手方向と直交し、かつ、前記第１のネクタイ結合具の挿入ピンが突出する前記一の方向と同じ方向に突出するように、前記第２の帯状部材の結合端部に固定されていることを特徴とするネクタイ；である。